(57)【要約】【課題】別途加湿のための熱源や電力を必要とせずに室内の加湿が行える照明器具を提供する。【解決手段】光源１を覆うグローブ３に、内部に水などの液体Ｌを収容し、内部と外部とをつなぐ通気孔４１ｃを備えた容器４を、着脱自在に取り付けた。容器４内部の水は、光源１から放出された熱によって温められて気化し、通気孔４１ｃから室内へ放出される。これにより、別途加湿のための熱源や電力を必要とせずに、室内の加湿を行うことができる。【選択図】図１
2010272367.tif 000002
【特許請求の範囲】
【請求項１】
光源並びに点灯回路を保持する器具本体と、透光性材料から形成され少なくとも前記光源を覆うグローブと、内部と外部とをつなぐ通気孔が形成された液体用容器とを備え、前記液体用容器には、前記グローブに着脱自在に取り付けられるための取付手段が設けられていることを特徴とする照明器具。
【発明の詳細な説明】
【技術分野】
【０００１】
本発明は、照明器具に関するものである。
【背景技術】
【０００２】
従来、特許文献１に記載された照明付き加湿器や、特許文献２に記載された加湿暖房付き消臭器のように、他の電気機器に加湿器を組み合わせたものが提供されている。
【０００３】
特許文献１記載の従来例は、超音波振動部で水の微粒子を形成し、この水を、カラー照明が当てられた透明筒中を通過させた後、噴霧するものである。すなわち、加湿を行いながら、カラー照明から放射された光を透明筒中の水の微粒子に当てて散乱させることで、幻想的な雰囲気を作り出すことができる。また特許文献２記載の従来例は、消臭フィルターを通して機器内に取り込んだ空気を、機器内部の暖房手段で暖め、加湿手段で加湿して吹出口から放出するものである。すなわち、暖房器と加湿器とを一体の機器とすることで、暖房による温度上昇に伴う湿度の低下を抑制している。
【先行技術文献】
【特許文献】
【０００４】
【特許文献１】特開２００６−８１０３号公報
【特許文献２】特開平８−２７１０４８号公報
【発明の概要】
【発明が解決しようとする課題】
【０００５】
しかし、上記の従来例は電気機器と加湿手段のそれぞれが熱源を有し、それぞれの熱源で電力を消費するものである。従って、その稼動コストは、それぞれの電気機器と加湿器とを別々に使用した場合と変わりがないものであった。
【０００６】
一方、現代では、室内照明は生活に欠かせないものである。この照明には、白熱電球や蛍光ランプなど様々な光源が使用されている。しかしこれらの光源は、供給された電力の全てを光に変換するものではなく、電磁波に変換されなかった電力は熱として放出される。従来、この廃熱は空気中などに放出され、利用されていなかった。
【０００７】
本発明は上記事情に鑑みて為されたものであり、別途加湿のための熱源や電力を必要とせずに室内の加湿が行える照明器具を提供することを目的とする。
【課題を解決するための手段】
【０００８】
上記の目的を達成するために、本発明は、光源並びに点灯回路を保持する器具本体と、透光性材料から形成され少なくとも前記光源を覆うグローブと、内部と外部とをつなぐ通気孔が形成された液体用容器とを備え、前記液体用容器には、前記グローブに着脱自在に取り付けられるための取付手段が設けられていることを特徴とする。
【０００９】
本発明は、光源を覆うグローブに、水を収容した液体用容器を取り付けている。液体用容器に収容された水は、光源から放出された熱で温められて気化し、室内を加湿する。従って、加湿器を使わずともこれと同様の効果を得ることができ、新たに加湿器を購入するための機器代や、加湿器の電気代を節約することができる。
【発明の効果】
【００１０】
本発明は、別途加湿のための熱源や電力を必要とせずに室内の加湿が行える照明器具を提供することができる。
【図面の簡単な説明】
【００１１】
【図１】実施形態の液体用容器近傍の断面図である。
【図２】実施形態の外観図である。
【図３】同上の使用状態イメージ図である。
【発明を実施するための形態】
【００１２】
以下、天井に取り付けられる照明器具（いわゆるシーリングライト）に、本発明の技術思想を適用した実施形態について説明する。以下の説明中の上下は、図１を基準としている。
【００１３】
本実施形態は、光源１と、光源１及び点灯回路（図示せず）を保持する器具本体２と、光源１及び点灯回路を覆うように器具本体２に取り付けられるグローブ３と、内部に水などの液体Ｌを収容し、取付手段を介してグローブ３に係止される容器４とを備えており、図３に示すように室内の天井面に直付けされている。
【００１４】
光源１は円環形の蛍光ランプであって、ランプソケット（図示せず）に装着されて器具本体２に保持される。
【００１５】
器具本体２は円盤状に形成された板金からなり、天井に直付けされている。また器具本体２の下面には、インバータ式の点灯回路からなる電子安定器（図示せず）と、光源１を接続装着するランプソケット（図示せず）とが配設されている。
【００１６】
グローブ３は、アクリル樹脂などの透光性を有する材料から形成され、上面が開口したドーム状の覆い部３１と、覆い部３１の開口周縁から、開口周縁のほぼ全周にわたって内方へ突設された中空円盤状の周板部３２とを備えている。この周板部３２には、複数の係止孔３２ａが、周板部３２の周方向に沿って略等間隔に形成されている。また覆い部３１には、それぞれの係止孔３２ａの側方に、通気孔３１ａが形成されている。なお、器具本体２へのグローブ３の取付構造は従来周知であるので、その説明については省略する。
【００１７】
容器４は、アクリル樹脂などの透光性材料から形成され、覆い部３１の曲面に沿った接触面４１ａを有し内部が空洞部４１ｂとなった収容部４１と、収容部４１の上面から延設された延設部４２と、延設部４２の先端から下方へ突設された係止部４３とを備えている。この延設部４２の長さは、グローブ３の周板部３２の外側端部から係止孔３２ａまでの長さよりも、わずかに長くなっている。また、空洞部４１ｂには水が収容され、空洞部４１ｂは内外に連通した通気孔４１ｃによって外部とつながっている。
【００１８】
この容器４は係止孔３２ａと同数あって、係止部４３を上方から係止孔３２ａに挿通し、係止部４３の先端に設けられた係止突起４３ａを周板部３２に引っ掛けて、グローブ３に着脱自在に取り付けられる。このとき、覆い部３１の通気孔３１ａは容器４の接触面４１ａによって覆われ、接触面４１ａは、ほぼ全面にわたってグローブ３の覆い部３１にほぼ接している。
【００１９】
本実施形態の光源１を点灯させると、光源１からは光と共に熱が放出される。この熱は、グローブ３内部の空気を伝播して通気孔３１ａから放出され、接触面４１ａを介して収容部４１を温める。収容部４１内の水は、温められることで気化速度が上昇し、空洞部４１ｂ内に充満する。この気化した水のうちの一部は、通気孔４１ｃから外部へと放出され、室内を加湿する。
【００２０】
このように本実施形態は、光源１を熱源として、収容部４１内の水を気化させて室内を加湿する。よって、従来別途に必要であった加湿のための熱源や電力が不要となり、加湿器を購入するための機器代や、加湿器の熱源で費やされていた電気代を節約することができる。
【００２１】
なお、液体Ｌとして水に変えてアロマオイル（あるいは水とアロマオイルの混合液）を用いると、加湿効果に変えて（あるいは加えて）、リラックス作用などのアロマテラピーの効果を得ることができる。
【００２２】
また、上記実施形態の容器４は、液体Ｌが無くなったときには新しい容器４に交換するカートリッジ式となっているが、収容部４１の上面に開閉自在な蓋を形成し、液体Ｌが無くなったときには容器４の中身を補充する補充式としても良い。なお、容器４は透光性を有する材料から形成されているので、液体Ｌの残量が目視でわかるようになっている。また、容器４が透明または半透明であることで、液体Ｌの揺らぎ感を演出することもできる。
【００２３】
さらに、光源１は円環形の蛍光ランプでなくともよい。すなわち、例えば白熱電球や電球形の蛍光ランプ、放電灯、ＬＥＤなどのように、点灯時に光と共に熱を放出する光源であればよい。
【符号の説明】
【００２４】
１      光源
２      器具本体
３      グローブ
３１ａ  通気孔
３２ａ  係止孔
４      容器
４１    収容部
４１ａ  接触面
４１ｂ  空洞部
４１ｃ  通気孔
４３    係止部
Ｌ      液体
【図１】
2010272367.tif 000003
【図２】
2010272367.tif 000004
【図３】
2010272367.tif 000005